(57)【要約】【課題】本考案は、模型各部の製作で使用する塗装用ホルダの提供。【解決手段】軸支部を中心に前端側所要長を挟持部に、後端側所要長を拡開操作部に形成してクリップ半体を設け、その軸支部の組合せ対応面を連接して二体合わせてクリップ部を構成し、別に構成された二又バネを二体合せたクリップ半体の挟持部の外面に設けた凹陥バネセット部に弾圧支持してクリップ部を組合せ、クリップ半体又は二又バネと一体に柄杆を設けてなる塗装用ホルダ。【選択図】図１
0003119114.tif 000002
【実用新案登録請求の範囲】
【請求項１】
軸支部を中心に前端側所要長を挟持部に、後端側所要長を拡開操作部に形成してクリップ半体を設け、その軸支部の組合せ対応面を連接して二体合わせてクリップ部を構成し、別に構成された柄杆部の先端に一体に接続形成される二又バネ環の連接する先端面を拡開して二又バネ環にバネ圧を作用させた状態で、二体合せたクリップ半体の挟持部の外面に設けた凹陥バネセット部に二又バネ環の先端面を夫々に嵌入接触させて弾圧支持してクリップ部と柄杆部を組合せ結合してなる塗装用ホルダ。
【請求項２】
前記クリップ部を構成するクリップ半体の軸支部の組合せ対応面は、前後の長手方向二分線とそれと横断方向に交差する支軸中心線において、前後の長手方向二分線により区画される一方の半分を半円柱状に突出させて軸部に、他方の半分を半円柱状に凹陥させて軸受溝に夫々形成され、組合せ結合時に拡開操作部を両側から指圧により押して軸支部を中心に、二又バネ環をさらに拡開して挟持部の挟持面を開くことができるように設けてなる請求項１の塗装用ホルダ。
【請求項３】
前記クリップ部を構成するクリップ半体の軸支部の外面及び拡開操作部の内外に連通する挿通路を開設し、前記二又バネ環を拡開操作部の内側から嵌入し、バネ圧を加えると共に組合せクリップ半体を、軸支部を中心に挟持部を離隔自在の可動に結合してなる請求項１の塗装用ホルダ。
【請求項４】
前記クリップ部を構成するクリップ半体における挟持部の挟持面は、先端挟持面と中間挟持面と基端挟持面に区画してなる請求項１、請求項２又は請求項３の塗装用ホルダ。
【請求項５】
前記先端挟持面は、挟持面の先端外縁に沿うコ字状の細幅の挟持面に形成され、長手方向の中心溝形挟持面を少なくとも一箇所具えてなる請求項４の塗装用ホルダ。
【請求項６】
前記中間挟持面は、挟持面の外側縁に沿う細幅の挟持面であって、その長手方向に対して横断方向に凹陥するクロス溝形挟持面を具え、かつ中間挟持面の内側を前記クロス溝形挟持面より深い中間凹陥挟持面に形成してなる請求項５の塗装用ホルダ。
【請求項７】
前記基端挟持面は、挟持面の外側縁に沿う細幅の挟持面であって、その基端よりを挟持面より離れる離隔傾斜挟持面に形成されると共に、基端挟持面の内側を前記中間挟持面の中間凹陥挟持面より軸支部にかけて更に深くなる傾斜凹陥挟持面に形成してなる請求項６の塗装用ホルダ。
【請求項８】
前記柄杆部は、二又バネ環と柄杆が一体に形成してなる請求項７の塗装用ホルダ。
【請求項９】
軸支部を中心に前端側所要長を挟持部に、後端側所要長を拡開操作部に形成してクリップ半体を設け、その軸支部の組合せ対応面を連接して二体合わせてクリップ部を構成し、別に構成された二又バネの両端を二体合せたクリップ半体の挟持部の外面に設けた凹陥バネセット部に嵌入弾圧支持してクリップ部を組合せてなる塗装用ホルダ。
【請求項１０】
柄杆は、クリップ部を構成するクリップ半体と一体に設けてなる請求項９の塗装用ホルダ。
【考案の詳細な説明】
【技術分野】
【０００１】
本考案は、模型各部の製作で使用する塗装用ホルダに関するものである。
【背景技術】
【０００２】
従来、模型製作において、小さい部品の吹き付け塗装は、部品を手で持って行っている。そのため、保持している指先まで塗装をしてしまうものである。また、支持する指先に隠れて塗装を行うことがでない部分が多い。指先での支持は、安定性に欠け、塗りむらを生じることがある。
従来の一般の挟持具における挟持部の合せ面において、パチンコ機の遊技盤に打ち込んだ釘の軸部を両側から挟持する相対向して凹んだ一対の保持溝と、両保持溝の他端に夫々連接し、上記釘の頭部が嵌り込む相対向して凹んだ一対の嵌合部を具え、また、嵌め合せ面を挟んで相対向きして凹み、前記嵌合部に跨って挟持部の幅方向両側に延び、かつ両端が幅方向に夫々開放した一対の補助溝を設けたパチンコの釘調整用ペンチが実公平５−４２８６０号公報に開示されている。
また、挟持部の合せ面において、菱形の角溝と、円柱形の円柱溝とからなる側面Ｔ字状溝を設けてなるものが特開２０００−６０５２号公報に開示されている。
また、挟持部の合せ面において、長手方向に凹陥し、先端と基端とが開放する円または楕円の溝を設けてなるものが特開２０００−６２７３８号公報に開示されている。
【特許文献１】実公平５−４２８６０号公報
【特許文献２】特開２０００−  ６０５２号公報
【特許文献３】特開２００１−６２７３８号公報
【考案の開示】
【考案が解決しようとする課題】
【０００３】
前記のように、従来、模型製作において、小さい部品の吹き付け塗装は、部品を手で持って行っているから保持している指先まで塗装をしまう欠点がある。
また、支持する指先に隠れて塗装を行うことがでない部分が生じ、また、指先での支持は、安定性に欠け、塗りむらを生じさせ、良好な塗装をすることができない。
従来の一般の挟持具において、挟持部の合せ面において、凹陥挟持面を持つものもあるが、対象物がパチンコの釘という用途に限定されているから、機能が特化されて形状、大きさが種々に異なる模型部分には適合しないものである。
【０００４】
そこで、本考案は、模型部品の塗装を完璧に行える塗装ホルダの提供を目的になされたものである。
【課題を解決するための手段】
【０００５】
軸支部を中心に前端側所要長を挟持部に、後端側所要長を拡開操作部に形成してクリップ半体を設け、その軸支部の組合せ対応面を連接して二体合わせてクリップ部を構成し、別に構成された柄杆部の先端に一体に接続形成される二又バネ環の連接する先端面を拡開して二又バネ環にバネ圧を作用させた状態で、二体合せたクリップ半体の挟持部の外面に設けた凹陥バネセット部に二又バネ環の先端面を夫々に嵌入接触させて弾圧支持してクリップ部と柄杆部を組合せ結合してなる塗装用ホルダにある。
【０００６】
前記クリップ部を構成するクリップ半体の軸支部の組合せ対応面は、前後の長手方向二分線とそれと横断方向に交差する支軸中心線において、前後の長手方向二分線により区画される一方の半分を半円柱状に突出させて軸部に、他方の半分を半円柱状に凹陥させて軸受溝に夫々形成され、組合せ結合時に拡開操作部を両側から指圧により押して軸支部を中心に、二又バネ環をさらに拡開して挟持部の挟持面を開くことができるように設けてもよいものである。
【０００７】
前記クリップ部を構成するクリップ半体の軸支部の外面及び拡開操作部の内外に連通する挿通路を開設し、前記二又バネ環を拡開操作部の内側から嵌入し、バネ圧を加えると共に組合せクリップ半体を、軸支部を中心に挟持部を離隔自在の可動に結合してもよいものである。
【０００８】
前記クリップ部を構成するクリップ半体における挟持部の挟持面は、先端挟持面と中間挟持面と基端挟持面に区画して設けてもよいものである。
【０００９】
前記先端挟持面は、挟持面の先端外縁に沿うコ字状の細幅の挟持面に形成され、長手方向の中心溝形挟持面を少なくとも一箇所具えてなるように設けてもよいものである。
【００１０】
前記中間挟持面は、挟持面の外側縁に沿う細幅の挟持面であって、その長手方向に対して横断方向に凹陥するクロス溝形挟持面を具え、かつ中間挟持面の内側を前記クロス溝形挟持面より深い中間凹陥挟持面に形成してなるように設けてもよいものである。
【００１１】
前記基端挟持面は、挟持面の外側縁に沿う細幅の挟持面であって、その基端よりを挟持面より離れる離隔傾斜挟持面に形成されると共に、基端挟持面の内側を前記中間挟持面の中間凹陥挟持面より軸支部にかけて更に深くなる傾斜凹陥挟持面に形成してなるように設けてもよいものである。
【００１２】
前記柄杆部は、二又バネ環と柄杆が一体に形成して設けてもよいものである。
【００１３】
軸支部を中心に前端側所要長を挟持部に、後端側所要長を拡開操作部に形成してクリップ半体を設け、その軸支部の組合せ対応面を連接して二体合わせてクリップ部を構成し、別に構成された二又バネの両端を二体合せたクリップ半体の挟持部の外面に設けた凹陥バネセット部に嵌入弾圧支持してクリップ部を組合せてなる塗装用ホルダとしてもよいものである。
【００１４】
柄杆は、クリップ部を構成するクリップ半体と一体に設けてもよいものである。
【考案の効果】
【００１５】
本考案の塗装用ホルダは、クリップ部に柄杆部が接続するものであるから、塗装用部品を手で直接に掴む必要が無く、塗装部品と離して支持できるので、支える手を汚すことが無くなるものである。
【００１６】
また、クリップ部の挟持面は、多区面に区画されるから、塗装部品の形状、大きさを考慮して確実に挟持することができる。
【００１７】
また、挟持面は、外縁回りに細幅に形成され、その内側が凹陥挟持面に形成されるで、塗装部品に凹凸に掛り合い確実に部品を挟持することができる。
【００１８】
また、先端挟持面では、長手方向の中心溝形挟持面が形成されるから、極細棒のようなものも嵌入して確実に挟持することができる。
【００１９】
また、前記中心溝形挟持面に一部が嵌入するだけでも奥が凹陥挟持面に形成されているので確実に挟持することができる。
【００２０】
前記先端挟持面で中心溝形挟持面に対して幅、深さを拡大したクロス溝形挟持面を中間挟持面に具えるから塗装部品の形状、大きさに適合する挟持面を選択し、適切、確実に挟持することができる。
【００２１】
基端挟持面の離隔傾斜挟持面及び傾斜凹陥挟持面により更に大きなもの変形された外形のものも確実に挟持することができるものである。
【考案を実施するための最良の形態】
【００２２】
軸支部を中心に前端側所要長を挟持部に、後端側所要長を拡開操作部に形成してクリップ半体を設け、その軸支部の組合せ対応面は、前後の長手方向二分線とそれと横断方向に交差する支軸中心線において、前後の長手方向二分線により区画される一方の半分を半円柱状に突出させて軸部に、他方の半分を半円柱状に凹陥させて軸受溝に夫々形成し、クリップ半体を二体合わせてクリップ部を構成し、前記クリップ部を構成するクリップ半体における挟持部の挟持面は、先端挟持面と中間挟持面と基端挟持面に区画して設け、別に構成された柄杆部の先端に一体に接続形成される二又バネ環の連接する先端面を拡開して二又バネ環にバネ圧を作用させた状態で、二体合せたクリップ半体の挟持部の外面に設けた凹陥バネセット部に二又バネ環の先端面を夫々に嵌入接触させて弾圧支持してクリップ部と柄杆部を組合せ結合してなる塗装用ホルダ。
【実施例】
【００２３】
以下、本考案の塗装用ホルダを実施例として示す図面により説明すると、図面の図１〜図９は、第１実施例の塗装用ホルダ１を示し、クリップ部２と柄杆部３とから構成される。
【００２４】
前記クリップ部２は、第１の実施例では、軸支部２ａ１を中心に前端側所要長を挟持部２ａ２に、後端側所要長を拡開操作部２ａ３に形成されるクリップ半体２ａの軸支部２ａ１の組合せ対応面２ａ１１を連接して二体合わせて構成され、その結合は、別に構成された柄杆部３の先端に一体に接続形成される二又バネ環３ａの連接する先端面３ａ１、３ａ２を拡開して二又バネ環３ａにバネ圧を作用させた状態で、二体合せたクリップ半体２ａの挟持部２ａ２の外面に設けた凹陥バネセット部２ａ２１に二又バネ環３ａの先端面３ａ１、３ａ２を夫々に嵌入接触させて弾圧支持し、クリップ部２と柄杆部３を組み合わせている。
【００２５】
前記クリップ部２を構成するクリップ半体２ａの軸支部２ａ１の組合せ対応面２ａ１１は、図４に示すように、前後の長手方向二分線Ｘ−Ｘとそれと横断方向に交差する支軸中心線Ｙ−Ｙにおいて、前後の長手方向二分線Ｘ−Ｘにより区画される一方の半分を半円柱状に突出させて軸部２ａ１３に、他方の半分を半円柱状に凹陥させて軸受溝２ａ１４に夫々形成され、組合せ結合時に所要角回動自在の軸支部２ａ１を構成している。よって、拡開操作部２ａ３を両側から指圧により押して軸支部２ａ１を中心に、二又バネ環３ａをさらに拡開して挟持部２ａ２の挟持面２ａ２２を開くことができるように設けている。
【００２６】
前記クリップ部２を構成するクリップ半体２ａの軸支部２ａ１の外面２ａ１２及び拡開操作部２ａ３の内外に連通する挿通路２ａ４を開設し、前記二又バネ環３ａを拡開操作部２ａ３の内側から嵌入し、バネ圧を加えると共に組合せクリップ半体２ａを、軸支部２ａ１を中心に挟持部２ａ２を離隔自在の可動に結合している。
【００２７】
前記クリップ部２を構成するクリップ半体２ａにおける挟持部２ａ２の挟持面２ａ２２は、図４〜図８に示すように、図５のＡ−Ａ線で切断される先端挟持面２ａ２２１と、同じく、図５のＢ−Ｂ線で切断される中間挟持面２ａ２２２と、同じく、図５のＣ−Ｃ線で切断される基端挟持面２ａ２２３に区画されている。
【００２８】
前記先端挟持面２ａ２２１は、挟持面２ａ２２の先端外縁に沿うコ字状の細幅の挟持面に形成され、長手方向のＸ−Ｘ線に一致する中心溝形挟持面４を具えている。
【００２９】
前記中間挟持面２ａ２２２は、同じく、挟持面２ａ２２の外側縁に沿う細幅の挟持面であって、その長手方向に対して横断方向であるＹ−Ｙ線の方向に凹陥するクロス溝形挟持面５ａ、５ｂを具え、かつ中間挟持面２ａ２２２の内側を前記クロス溝形挟持面５ａ、５ｂより深い中間凹陥挟持面５ｃに形成されている。
【００３０】
前記基端挟持面２ａ２２３は、同じく、挟持面２ａ２２の外側縁に沿う細幅の挟持面であって、その基端よりを挟持面より離れる離隔傾斜挟持面６ａ、６ｂに形成されると共に、基端挟持面２ａ２２３の内側を前記中間挟持面２ａ２２２の中間凹陥挟持面５ｃより軸支部２ａ１にかけて更に深くなる傾斜凹陥挟持面６ｃに形成されている。
【００３１】
前記柄杆部３は、単体では、図１及び図９に示すように、二又バネ環３ａと柄杆３ｂが一体に形成されている。また、柄杆３ｂには滑止溝７が所要の間隔で凹設されている。
【００３２】
前記クリップ部２、柄杆部３とも合成樹脂材により成型できることは勿論である。また、クリップのサイズも模型部品の大きさに適合するため、何種類か用意しても勿論よいものである。
【００３３】
図１０は、第２実施例の塗装用ホルダ８である。クリップ部９を構成するクリップ半体９ａ、９ｂを線金バネ１０により組合せるもので、柄杆１１は、クリップ半体９ｂと一体に設けている。組合せ構造及び挟持部の挟持面の形状については、第１実施例の塗装用ホルダ１と同様である。
【００３４】
本考案の塗装用ホルダは、クリップ部に柄杆部が接続するものであるから、塗装用部品を手で直接に掴む必要が無く、塗装部品と離して支持できるので、支える手を汚すことが無くなるものである。
【００３５】
また、クリップ部の挟持面は、先端挟持面、中間挟持面及び基端挟持面に区画されるから、塗装部品の形状、大きさを考慮して確実に挟持することができる。
【００３６】
また、挟持面は、外縁回りに細幅に形成され、その内側が凹陥挟持面に形成されるで、塗装部品に凹凸のあるものを確実に挟持することができる。
【００３７】
また、先端挟持面では、長手方向の中心溝形挟持面が形成されるから、極細棒まで嵌入して確実に挟持することができる。
【００３８】
また、中心溝形挟持面に対して幅、深さを拡大したクロス溝形挟持面を具えるから塗装部品の形状、大きさに適合する挟持面を選択し、適切、確実に挟持することができる。
【００３９】
基端挟持面の離隔傾斜挟持面及び傾斜凹陥挟持面により更に大きなもの変形された外形のものも確実に挟持することができるものである。
【００４０】
よって、大小、様々な形状の模型部品の塗装用ホルダとして活用できる。
【産業上の利用可能性】
【００４１】
本考案の塗装用ホルダは、作業者から離れて塗装部品を確実に保持できるので、塗装の能率、的確な塗装を行うことができる。
【図面の簡単な説明】
【００４２】
【図１】本考案の第１実施例の塗装用ホルダの中央縦断面図である。
【図２】クリップ部を構成するクリップ半体の右側面図である。
【図３】同じく、クリップ半体の平面図である。
【図４】同じく、クリップ半体の底面図である。
【図５】同じく、クリップ半体の前半部分の拡大中央断面図である。
【図６】図５におけるＡ−Ａ線に沿う端面図である。
【図７】図５におけるＢ−Ｂ線に沿う端面図である。
【図８】図５におけるＣ−Ｃ線に沿う端面図である。
【図９】柄杆部単体の平面図である。
【図１０】針金バネを利用した第２実施例の塗装用ホルダを示す中央縦断面図である。
【符号の説明】
【００４３】
１  第１実施例の塗装用ホルダ
２  クリップ部
２ａ  クリップ半体
２ａ１  軸支部
２ａ１１  組合せ対応面
２ａ１２  外面
２ａ１３  軸部
２ａ１４  軸受溝
２ａ２  挟持部
２ａ２１  凹陥バネセット部
２ａ２２  挟持面
２ａ２２１  先端挟持面
２ａ２２２  中間挟持面
２ａ２２３  基端挟持面
２ａ３  拡開操作部
２ａ４  挿通路
３  柄杆部
３ａ  二又バネ環
３ａ１  先端面
３ａ２  先端面
３ｂ  柄杆
４  中心溝形挟持面
５ａ  クロス溝形挟持面
５ｂ  クロス溝形挟持面
５ｃ  中間凹陥挟持面
６ａ  離隔傾斜挟持面
６ｂ  離隔傾斜挟持面
６ｃ  傾斜凹陥挟持面
７  滑止溝
８  第２実施例の塗装用ホルダ
９  クリップ部
９ａ  クリップ半体
９ｂ  クリップ半体
１０  線金バネ
１１  柄杆
【図１】
0003119114.tif 000003
【図２】
0003119114.tif 000004
【図３】
0003119114.tif 000005
【図４】
0003119114.tif 000006
【図５】
0003119114.tif 000007
【図６】
0003119114.tif 000008
【図７】
0003119114.tif 000009
【図８】
0003119114.tif 000010
【図９】
0003119114.tif 000011
【図１０】
0003119114.tif 000012
【手続補正書】
【提出日】平成17年12月22日(2005.12.22)
【手続補正１】
【補正対象書類名】実用新案登録請求の範囲
【補正対象項目名】請求項６
【補正方法】変更
【補正の内容】
【請求項６】
前記中間挟持面は、挟持面の外側縁に沿う細幅の挟持面であって、その長手方向に対して横断方向に、円弧状に凹陥するクロス溝形挟持面を具え、かつ中間挟持面の内側を前記クロス溝形挟持面より深い円弧状の中間凹陥挟持面に形成してなる請求項５の塗装用ホルダ。
【手続補正２】
【補正対象書類名】実用新案登録請求の範囲
【補正対象項目名】請求項７
【補正方法】変更
【補正の内容】
【請求項７】
前記基端挟持面は、挟持面の外側縁に沿う細幅の挟持面であって、その基端寄りを挟持面より離れる離隔傾斜挟持面に形成されると共に、基端挟持面の内側を前記中間挟持面の中間凹陥挟持面より軸支部にかけて更に深くなる傾斜面であると共に、前後方向に対する横断方向に弧状の傾斜凹陥挟持面に形成してなる請求項６の塗装用ホルダ。
【手続補正３】
【補正対象書類名】明細書
【補正対象項目名】００１０
【補正方法】変更
【補正の内容】
【００１０】
前記中間挟持面は、挟持面の外側縁に沿う細幅の挟持面であって、その長手方向に対して横断方向に、円弧状に凹陥するクロス溝形挟持面を具え、かつ中間挟持面の内側を前記クロス溝形挟持面より深い円弧状の中間凹陥挟持面に形成してなるように設けてもよいものである。
【手続補正４】
【補正対象書類名】明細書
【補正対象項目名】００１１
【補正方法】変更
【補正の内容】
【００１１】
前記基端挟持面は、挟持面の外側縁に沿う細幅の挟持面であって、その基端寄りを挟持面より離れる離隔傾斜挟持面に形成されると共に、基端挟持面の内側を前記中間挟持面の中間凹陥挟持面より軸支部にかけて更に深くなる傾斜面であると共に、横断方向に弧状の傾斜凹陥挟持面に形成してなるように設けてもよいものである。
【手続補正５】
【補正対象書類名】明細書
【補正対象項目名】００１７
【補正方法】変更
【補正の内容】
【００１７】
また、挟持面は、外縁回りに細幅に形成され、その内側が弧状の凹陥挟持面に形成されるで、塗装部品に凹凸に掛り合い確実に部品を挟持することができる。
【手続補正６】
【補正対象書類名】明細書
【補正対象項目名】００１９
【補正方法】変更
【補正の内容】
【００１９】
また、前記中心溝形挟持面に一部が嵌入するだけでも奥が弧状の凹陥挟持面に形成されているので確実に挟持することができる。
【手続補正７】
【補正対象書類名】明細書
【補正対象項目名】００２１
【補正方法】変更
【補正の内容】
【００２１】
基端挟持面の離隔傾斜挟持面及び傾斜面であると共に、横断方向に弧状の傾斜凹陥挟持面により更に大きなもの変形された外形のものも確実に挟持することができるものである。
【手続補正８】
【補正対象書類名】明細書
【補正対象項目名】００２５
【補正方法】変更
【補正の内容】
【００２５】
前記クリップ部２を構成するクリップ半体２ａの軸支部２ａ１の組合せ対応面２ａ１１は、図４に示すように、前後の長手方向二分線Ｘ−Ｘとそれと横断方向に交差する支軸中心線Ｙ−Ｙにおいて、前後の長手方向二分線Ｘ−Ｘにより区画される一方の半分を半円柱状に突出させて軸部２ａ１１１に、他方の半分を半円柱状に凹陥させて軸受溝２ａ１１２に夫々形成され、組合せ結合時に所要角回動自在の軸支部２ａ１を構成している。よって、拡開操作部２ａ３を両側から指圧により押して軸支部２ａ１を中心に、二又バネ環３ａをさらに拡開して挟持部２ａ２の挟持面２ａ２２を開くことができるように設けている。
【手続補正９】
【補正対象書類名】明細書
【補正対象項目名】００２９
【補正方法】変更
【補正の内容】
【００２９】
前記中間挟持面２ａ２２２は、同じく、挟持面２ａ２２の外側縁に沿う細幅の挟持面であって、その長手方向に対して横断方向であるＹ−Ｙ線の方向に、円弧状に凹陥するクロス溝形挟持面５ａ、５ｂを具え、かつ中間挟持面２ａ２２２の内側を前記クロス溝形挟持面５ａ、５ｂより深い円弧状の中間凹陥挟持面５ｃに形成されている。
【手続補正１０】
【補正対象書類名】明細書
【補正対象項目名】００３０
【補正方法】変更
【補正の内容】
【００３０】
前記基端挟持面２ａ２２３は、同じく、挟持面２ａ２２の外側縁に沿う細幅の挟持面であって、その基端寄りを挟持面より離れる離隔傾斜挟持面６ａ、６ｂに形成されると共に、基端挟持面２ａ２２３の内側を前記中間挟持面２ａ２２２の中間凹陥挟持面５ｃより軸支部２ａ１にかけて更に深くなる傾斜面であると共に、横断方向に弧状の傾斜凹陥挟持面６ｃに形成されている。
【手続補正１１】
【補正対象書類名】明細書
【補正対象項目名】００３６
【補正方法】変更
【補正の内容】
【００３６】
また、挟持面は、外縁回りに細幅に形成され、その内側が弧状の凹陥挟持面に形成されるで、塗装部品に凹凸のあるものを確実に挟持することができる。
【手続補正１２】
【補正対象書類名】明細書
【補正対象項目名】００３９
【補正方法】変更
【補正の内容】
【００３９】
基端挟持面の離隔傾斜挟持面及び傾斜面であると共に、横断方向に弧状の傾斜凹陥挟持面により更に大きなもの変形された外形のものも確実に挟持することができるものである。
【手続補正１３】
【補正対象書類名】明細書
【補正対象項目名】００４３
【補正方法】変更
【補正の内容】
【００４３】
１  第１実施例の塗装用ホルダ
２  クリップ部
２ａ  クリップ半体
２ａ１  軸支部
２ａ１１  組合せ対応面
２ａ１１１  軸部
２ａ１１２  軸受溝
２ａ１２  外面
２ａ２  挟持部
２ａ２１  凹陥バネセット部
２ａ２２  挟持面
２ａ２２１  先端挟持面
２ａ２２２  中間挟持面
２ａ２２３  基端挟持面
２ａ３  拡開操作部
２ａ４  挿通路
３  柄杆部
３ａ  二又バネ環
３ａ１  先端面
３ａ２  先端面
３ｂ  柄杆
４  中心溝形挟持面
５ａ  クロス溝形挟持面
５ｂ  クロス溝形挟持面
５ｃ  中間凹陥挟持面
６ａ  離隔傾斜挟持面
６ｂ  離隔傾斜挟持面
６ｃ  傾斜凹陥挟持面
７  滑止溝
８  第２実施例の塗装用ホルダ
９  クリップ部
９ａ  クリップ半体
９ｂ  クリップ半体
１０  線金バネ
１１  柄杆
【手続補正１４】
【補正対象書類名】図面
【補正対象項目名】図１
【補正方法】変更
【補正の内容】
【図１】
0003119114.tif 000013
【手続補正１５】
【補正対象書類名】図面
【補正対象項目名】図２
【補正方法】変更
【補正の内容】
【図２】
0003119114.tif 000014
【手続補正１６】
【補正対象書類名】図面
【補正対象項目名】図３
【補正方法】変更
【補正の内容】
【図３】
0003119114.tif 000015
【手続補正１７】
【補正対象書類名】図面
【補正対象項目名】図４
【補正方法】変更
【補正の内容】
【図４】
0003119114.tif 000016
【手続補正１８】
【補正対象書類名】図面
【補正対象項目名】図５
【補正方法】変更
【補正の内容】
【図５】
0003119114.tif 000017